(57)【要約】【課題】情報端末との通信を安定して行う玄関装置を提供する。【解決手段】玄関装置２０は、集合施設Ｈ１の少なくとも１つの施設に設けられた情報端末６０ａと第１の通信方式ｃ１で通信する第１通信部２７ａと、第１の通信方式ｃ１と異なる第２の通信方式ｃ２で情報端末６０ａと通信する第２通信部２７ｂと、第１通信部２７ａおよび第２通信部２７ｂを制御する制御部２６とを備える。【選択図】図２
2020150341.tif 000002
【特許請求の範囲】
【請求項１】
集合施設に設置される玄関装置であって、
前記集合施設の少なくとも１つの施設に設けられた情報端末と第１の通信方式で通信する第１通信部と、
前記第１の通信方式と異なる第２の通信方式で前記情報端末と通信する第２通信部と、
前記第１通信部および前記第２通信部を制御する制御部と
を備える玄関装置。
【請求項２】
前記第１の通信方式は、有線による通信方式であり、前記第２の通信方式は、無線による通信方式である
請求項１に記載の玄関装置。
【請求項３】
前記第１の通信方式は、電力線搬送通信であり、前記第１通信部は、前記集合施設に敷設された配電線に接続されている
請求項１または２に記載の玄関装置。
【請求項４】
前記第２の通信方式は、特定小電力無線通信である
請求項１〜３のいずれか１項に記載の玄関装置。
【請求項５】
前記制御部は、前記第１通信部および前記第２通信部のうちのいずれかを優先して用いて前記情報端末と通信する
請求項１〜４のいずれか１項に記載の玄関装置。
【請求項６】
前記制御部は、前記情報端末と通信する情報に応じて前記第１通信部および前記第２通信部のうちの少なくとも１つの通信部を選択し、選択した当該通信部を用いて通信する
請求項１〜４のいずれか１項に記載の玄関装置。
【請求項７】
前記制御部は、前記情報のうち、映像に関する情報を送信または受信する場合は前記第１通信部を用いて前記情報端末と通信し、通信相手を制御するための制御コマンドを送信または受信する場合は前記第２通信部を用いて前記情報端末と通信する
請求項６に記載の玄関装置。
【請求項８】
前記制御部は、前記映像に関する情報を送信する場合に、前記映像に関する情報の情報量を少なくした状態で前記情報端末と通信する
請求項７に記載の玄関装置。
【請求項９】
前記制御部は、前記映像に関する情報の容量が通信可能な容量を超えていると判断した場合に、前記映像のフレームレートを下げて当該映像に関する情報を送信する
請求項８に記載の玄関装置。
【請求項１０】
前記制御部は、前記第１通信部を用いて前記情報端末と通信できないとき、前記第２通信部を用いて前記情報端末と通信する
請求項１〜６のいずれか１項に記載の玄関装置。
【請求項１１】
請求項１〜１０のいずれか１項に記載の玄関装置と、
前記玄関装置と通信する情報端末と
を備えるインターホンシステム。
【発明の詳細な説明】
【技術分野】
【０００１】
本発明は、集合施設に設置される玄関装置、および、この玄関装置を備えるインターホンシステムに関する。
【背景技術】
【０００２】
特許文献１には、玄関装置（集合玄関機）、および、玄関装置と通信する情報端末（居室親機）を備えるインターホンシステムが開示されている。このインターホンシステムでは、玄関装置と情報端末とがインターホン回線を介して通信している。
【先行技術文献】
【特許文献】
【０００３】
【特許文献１】特開２０１７−１０８３４２号公報
【発明の概要】
【発明が解決しようとする課題】
【０００４】
しかしながら特許文献１に開示された玄関装置は、情報端末と１つのインターホン回線でしか繋がっておらず、情報端末との通信を安定して行うことができないことがある。
【０００５】
本発明は、情報端末との通信を安定して行うことができる玄関装置等を提供することを目的とする。
【課題を解決するための手段】
【０００６】
本発明の一態様に係る玄関装置は、集合施設に設置される玄関装置であって、前記集合施設の少なくとも１つの施設に設けられた情報端末と第１の通信方式で通信する第１通信部と、前記第１の通信方式と異なる第２の通信方式で前記情報端末と通信する第２通信部と、前記第１通信部および前記第２通信部を制御する制御部とを備える。
【０００７】
本発明の一態様に係るインターホンシステムは、上記玄関装置と、上記玄関装置と通信する情報端末とを備える。
【発明の効果】
【０００８】
本発明の玄関装置等によれば、情報端末との通信を安定して行うことができる。
【図面の簡単な説明】
【０００９】
【図１】実施の形態に係るインターホンシステムを示す模式図である。
【図２】実施の形態に係るインターホンシステムが備える玄関装置および情報端末の機能構成を示すブロック図である。
【図３】実施の形態に係る玄関装置の正面図である。
【図４】実施の形態に係るインターホンシステムが備える情報端末の正面図である。
【図５】実施の形態の変形例に係るインターホンシステムが備える玄関装置および情報端末の機能構成を示すブロック図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
以下、本実施の形態に係るインターホンシステムおよび玄関装置について、図１〜図４を参照しながら説明する。
【００１３】
［１．インターホンシステムの構成］
まず、本実施の形態に係るインターホンシステムの全体構成について、図１を参照しながら説明する。
【００１４】
図１は、インターホンシステム１０を示す模式図である。図１に示すように、インターホンシステム１０は、集合施設Ｈ１に設けられている。集合施設Ｈ１は、住居またはオフィスなどの複数の施設１０１、２０１、３０１および共用スペースの一例である玄関１００などを備えている。
【００１５】
インターホンシステム１０は、玄関装置２０と、複数の情報端末６０ａ、６０ｂ、６０ｃと、複数のインターホン子機７０ａ、７０ｂ、７０ｃとを備えている。玄関装置２０は、例えばロビーインターホンであり、玄関１００に１つ設置されている。各情報端末６０ａ〜６０ｃは、例えばインターホン親機であり、各施設１０１〜３０１内に設置されている。各インターホン子機７０ａ〜７０ｃは、ドアホンであり、各施設１０１〜３０１の玄関に設置されている。
【００１６】
玄関１００は、訪問者が外部から玄関１００に入るための入口ドア（図示省略）と、玄関１００から各居住エリアへの立ち入りを制限するオートロックドア１３０とを備えている。オートロックドア１３０は、玄関装置２０にパスワードを入力することで解錠される。また、オートロックドア１３０は、情報端末６０ａ〜６０ｃから玄関装置２０に送信される解錠指令によって、ドアが開くしくみになっている。なお、居住エリアへの立ち入りを制限するドアは、シリンダー錠を鍵で操作することによって解錠されてもよいし、非接触キーから取得した認証情報を照合することによって解錠されてもよい。
【００１７】
図１では、情報端末６０ａ〜６０ｃおよびインターホン子機７０ａ〜７０ｃが３組だけ図示されているが、インターホンシステム１０は、実際には、集合施設Ｈ１内の施設数に応じて１組または複数組の情報端末およびインターホン子機を備える。以下では、複数の情報端末６０ａ〜６０ｃおよびインターホン子機７０ａ〜７０ｃのうち、情報端末６０ａおよびインターホン子機７０ａを代表例に挙げて説明する。
【００１８】
［２．玄関装置および情報端末の構成］
次に、玄関装置２０および情報端末６０ａの構成について、図１〜図４を参照しながら説明する。
【００１９】
図２は、インターホンシステム１０が備える玄関装置２０および情報端末６０ａの機能構成を示すブロック図である。図３は、玄関装置２０の正面図である。図４は、情報端末６０ａの正面図である。
【００２０】
玄関装置２０は、図２および図３に示すように、操作受付部２１と、撮像部２２と、表示部２４と、通話部２５と、制御部２６と、通信部とを備える。なお、玄関装置２０および情報端末６０ａのそれぞれは電源部を有しているが、図２では電源部の図示を省略している。
【００２１】
通信部は、制御部２６の指令に基づいて情報端末６０ａと通信する回路である。通信部は、第１通信部２７ａおよび第２通信部２７ｂを有するハイブリッド通信回路である。
【００２２】
第１通信部２７ａは、情報端末６０ａと第１の通信方式ｃ１で通信し、第２通信部２７ｂは、第１の通信方式ｃ１と異なる第２の通信方式ｃ２で情報端末６０ａと通信する。なお、通信方式が異なるとは、通信時に用いられる周波数帯および通信プロトコルが異なることを意味する。例えば、第１の通信方式ｃ１は、有線による通信方式であり、第２の通信方式ｃ２は、無線による通信方式である。なお、既存の集合施設Ｈ１にインターホンシステム１０を追加して設置する場合は、第１の通信方式ｃ１および第２の通信方式ｃ２は、追加の配線工事が少ない方式であることが望ましい。
【００２３】
図１には、第１の通信方式ｃ１が、電力線搬送通信（ＰＬＣ：Ｐｏｗｅｒ  Ｌｉｎｅ  Ｃｏｍｍｕｎｉｃａｔｉｏｎ）である例が示されている。第１の通信方式ｃ１は、情報信号を４ＭＨｚ〜２８ＭＨｚの直交周波数分割多重方式で変調し、電力線に重畳させて通信する通信方式である。本実施の形態では、第１通信部２７ａが、集合施設Ｈ１に敷設されたＡＣ１００Ｖの配電線１１０に接続され、配電線１１０を介して情報端末６０ａと通信する。
【００２４】
第２の通信方式ｃ２は、例えば９２０ＭＨｚ帯の周波数を利用した特定小電力無線通信である。第２の通信方式ｃ２は、ＷｉＦｉ（登録商標）またはＢｌｕｅｔｏｏｔｈ（登録商標）などの通信方式が用いられてもよい。すなわち第２通信部２７ｂは、無線で情報端末６０ａと通信する。本実施の形態では、第２の通信方式ｃ２は、第１の通信方式ｃ１よりも通信レートが低い。
【００２５】
なお、第１通信部２７ａおよび第２通信部２７ｂのそれぞれは、情報端末６０ａと直接通信する場合に限られず、情報端末６０ａと間接的に通信してもよい。例えば、第１通信部２７ａは、玄関装置２０と情報端末６０ａとの間に配置された制御装置（図示省略）を介して情報端末６０ａと通信可能であってもよい。また、第２通信部２７ｂは、上記制御装置または中継器を介して情報端末６０ａと通信可能であってもよい。
【００２６】
操作受付部２１は、訪問者のキー操作を受け付けるユーザインターフェースである。操作受付部２１は、例えばタッチパネルまたはハードウェアボタン（例えば、テンキー）であり、オートロックドア１３０の解錠パスワードを受け付けたり、情報端末６０ａを呼び出すための呼出操作を受け付けたりする。操作受付部２１で受け付けた呼出操作は、情報端末６０ａを制御するための制御コマンドとして、情報端末６０ａに送信される。制御コマンドは、後述する映像に関する情報に比べて通信容量が小さいので、第２通信部２７ｂを介して、すなわち第２の通信方式ｃ２を用いて情報端末６０ａに送信される。
【００２７】
通話部２５は、情報端末６０ａを介して居住者と通話するための装置である。通話部２５は、訪問者のまわりの音を収音する収音部２５ａ、および、情報端末６０ａから送信された信号を音として出音する出音部２５ｂを有する。収音部２５ａは、例えばマイクロフォンであり、出音部２５ｂは、例えばスピーカである。音に関する情報は、映像に関する情報に比べて通信容量が小さい。そのため、収音部２５ａにて収音した音に関する情報は、第２通信部２７ｂを介して情報端末６０ａに送信される。また、情報端末６０ａから送信された音に関する情報は、第２通信部２７ｂを介して玄関装置２０に入力され、出音部２５ｂから出力される。
【００２８】
撮像部２２は、訪問者の画像を撮像するカメラである。撮像部２２は、例えばＣＭＯＳイメージセンサまたはＣＣＤイメージセンサを有している。撮像部２２にて撮像された映像に関する情報は、制御コマンドまたは音に関する情報に比べて通信容量が大きいので、第１通信部２７ａを介して、すなわち第１の通信方式ｃ１を用いて情報端末６０ａに送信される。
【００２９】
表示部２４は、情報端末６０ａから送信された情報または撮像部２２で撮像した映像に関する情報を画像で表示するパネルである。表示部２４は、例えば、液晶パネルまたは有機ＥＬパネルである。
【００３０】
制御部２６は、操作受付部２１、撮像部２２、表示部２４、通話部２５、第１通信部２７ａおよび第２通信部２７ｂなどの各構成要素を制御する。制御部２６は、マイクロプロセッサによって構成され、メモリを備えている。メモリには、各構成要素を作動するためのプログラムが保存されている。また、メモリには、第１の通信方式ｃ１および第２の通信方式ｃ２のそれぞれの通信方式の通信レートおよび通信可能容量等が記憶されている。
【００３１】
玄関装置２０は、情報端末６０ａと通信するための通信部を２つ有しているが、制御部２６は、以下に示す選択によって情報端末６０ａと通信する。
【００３２】
例えば、制御部２６は、情報端末６０ａと通信する情報に応じて第１通信部２７ａおよび第２通信部２７ｂのうちの少なくとも１つの通信部を選択し、選択した当該通信部を用いて通信する。なお、制御部２６は、上記情報に応じて第１通信部２７ａおよび第２通信部２７ｂの両方を用いて情報端末６０ａと通信してもよい。
【００３３】
例えば、制御部２６は、相対的に容量の大きい情報を第１通信部２７ａで、相対的に容量の小さい情報を第２通信部２７ｂで送信することで、効率的に情報を送信することができる。また、制御部２６は、相対的に速報性の求められない情報を第１通信部２７ａで、相対的に速報性の求められる情報を第２通信部２７ｂで送信することで、ユーザーに対する違和感を低減することができる。また上記の組み合わせとして、制御部２６は、相対的に容量が大きく、速報性の求められない情報を第１通信部２７ａで、相対的に容量が小さく、速報性が求められる情報を第２通信部２７ｂで送信することで、効率的に情報を送信でき、かつユーザーに対する違和感を低減することができる。
【００３４】
また、制御部２６は、情報端末６０ａと通信する情報のうち、映像に関する情報を送信または受信する場合は第１通信部２７ａを用いて情報端末６０ａと通信し、通信相手を制御するための制御コマンドに関する情報を送信または受信する場合は第２通信部２７ｂを用いて情報端末６０ａと通信してもよい。なお、玄関装置２０にとっての通信相手は情報端末６０ａであり、情報端末６０ａにとっての通信相手は玄関装置２０である。
【００３５】
また、制御部２６は、映像に関する情報を送信する場合に、映像に関する情報の情報量を少なくした状態で情報端末６０ａと通信してもよい。より具体的には、制御部２６は、映像に関する情報の容量が、通信部にて通信可能な容量を超えていると判断した場合に、映像のフレームレートを下げて（フレームを間引いて）当該映像に関する情報を送信してもよい。なお、映像に関する情報は、レートを下げてコマ送りになっても表示内容を理解できるのでレートを下げても問題ない。それに対し、音に関する情報は、レートを下げると通話内容を聞き取れなくなるのでレートを下げないことが望ましい。
【００３６】
また、制御部２６は、第１通信部２７ａおよび第２通信部２７ｂのうちのいずれかを優先して用いて情報端末６０ａと通信してもよい。具体的には、第１の通信方式ｃ１の通信レートが第２の通信方式ｃ２の通信レートよりも高い場合、制御部２６は、第１通信部２７ａを優先して用いて情報端末６０ａと通信してもよい。ただし、制御部２６は、第１の通信方式ｃ１による通信がノイズなどの外乱の影響を受けている場合は、第１通信部２７ａでなく第２通信部２７ｂを用いて情報端末６０ａと通信してもよい。例えば、制御部２６は、第１の通信方式ｃ１の通信のパケットエラーレート（ＰＥＲ）を取得して、パケットエラーレートが基準値を上回った場合、第２の通信方式ｃ２を選択してもよい。また、制御部２６は、第１の通信方式ｃ１および第２の通信方式ｃ２の両方のパケットエラーレートを取得して、エラー率が小さいほうの通信方式を選択してもよい。また、制御部２６は、第１通信部２７ａを用いて情報端末６０ａと通信できないとき、第２通信部２７ｂを用いて情報端末６０ａと通信してもよい。
【００３７】
このように玄関装置２０では、制御部２６が、情報端末６０ａと通信する通信部を複数の通信部（第１通信部２７ａおよび第２通信部２７ｂ）の中から選択することで、情報端末６０ａとの通信を安定して行うことができる。なお、上記では情報端末６０ａを代表例に挙げて説明したが、情報端末６０ｂ、６０ｃについても同様である。玄関装置２０は、情報端末６０ｂと通信する場合に、情報端末６０ａと同じ通信方式で通信してもよいし異なる通信方式で通信してもよい。
【００３８】
次に、情報端末６０ａの構成について、図２および図４を参照しながら説明する。本実施の形態の情報端末６０ａは、インターホン親機であるが、スマートフォンまたはタブレット端末などの携帯端末もしくはパーソナルコンピュータであってもよい。また、情報端末６０ａは、集合施設Ｈ１の管理人室等に設置される管理人室親機であってもよい。
【００３９】
図２および図４に示すように、情報端末６０ａは、通信部と、制御部６２と、表示部６３と、通話部６４と、入力受付部６５とを備える。
【００４０】
通信部は、制御部６２の指示に基づいて玄関装置２０と通信する回路である。通信部は、第１通信部６１ａ、第２通信部６１ｂおよび第３通信部６１ｃを有するハイブリッド通信回路である。
【００４１】
第１通信部６１ａは、第１の通信方式ｃ１で玄関装置２０と通信する。具体的には、第１通信部６１ａが、集合施設Ｈ１に敷設された配電線１１０に接続され、配電線１１０を介して玄関装置２０と通信する。第２通信部６１ｂは、第２の通信方式ｃ２で玄関装置２０と通信する。第２通信部６１ｂは、無線で玄関装置２０と通信する。第３通信部６１ｃは、第３の通信方式ｃ３でインターホン子機７０ａと通信する。第３の通信方式ｃ３は、第１の通信方式ｃ１または第２の通信方式ｃ２と同じであってもよい。
【００４２】
入力受付部６５は、施設１０１内の居住者のキー操作を受け付けるユーザインターフェースである。入力受付部６５は、例えば玄関装置２０からの呼び出しに応じて、オートロックドア１３０を解錠するための解錠操作を受け付ける。入力受付部６５にて受け付けた解錠操作は、玄関装置２０を制御するための制御コマンドとして、玄関装置２０に送信される。この制御コマンドは、第２通信部６１ｂを介して、すなわち第２の通信方式ｃ２を用いて玄関装置２０に送信される。
【００４３】
通話部６４は、玄関装置２０を介して訪問者と通話するための装置である。通話部６４は、居住者のまわりの音を収音する収音部６４ａ、および、玄関装置２０から送信された信号を音として出音する出音部６４ｂを有する。収音部６４ａにて収音した音に関する情報は、第２通信部６１ｂを介して玄関装置２０に送信される。また、玄関装置２０から送信された音に関する情報は、第２通信部６１ｂを介して情報端末６０ａに入力され、出音部６４ｂから出力される。
【００４４】
表示部６３は、玄関装置２０から送信された情報または撮像部２２で撮像した映像に関する情報を画像で表示するパネルである。
【００４５】
制御部６２は、第１通信部６１ａ、第２通信部６１ｂ、第３通信部６１ｃ、表示部６３、通話部６４および入力受付部６５などの各種構成要素を制御する。制御部６２は、マイクロプロセッサによって構成され、メモリを備えている。メモリには、各構成要素を作動するためのプログラムが保存されている。
【００４６】
制御部６２は、玄関装置２０と通信するための通信部を２つ有しているが、制御部６２は、以下に示すように通信部を選択することで玄関装置２０と通信する。なお、通信方式の選択は、基本的には玄関装置２０によって行われるが、情報端末６０ａにて選択される場合もあり得る。以下では、情報端末６０ａの制御部６２によって通信方式が選択される例について説明する。
【００４７】
例えば、制御部６２は、玄関装置２０と通信する情報に応じて第１通信部６１ａおよび第２通信部６１ｂのうちの少なくとも１つの通信部を選択し、選択した当該通信部を用いて通信する。具体的には、制御部６２は、玄関装置２０と通信する情報のうち、映像に関する情報を送信または受信する場合は第１通信部６１ａを用いて玄関装置２０と通信し、通信相手を制御するための制御コマンドに関する情報を送信または受信する場合は第２通信部６１ｂを用いて玄関装置２０と通信する。
【００４８】
また、制御部６２は、第１通信部６１ａおよび第２通信部６１ｂのうちのいずれかを優先して用いて玄関装置２０と通信してもよい。具体的には、第１の通信方式ｃ１の通信レートが第２の通信方式ｃ２の通信レートよりも高い場合、制御部６２は、第１通信部６１ａを優先して用いて玄関装置２０と通信してもよい。ただし、制御部６２は、第１の通信方式ｃ１による通信が電気機器で発生するノイズなどの影響を受ける場合は、第１通信部６１ａでなく第２通信部６１ｂを用いて玄関装置２０と通信してもよい。また、制御部６２は、第１通信部６１ａを用いて玄関装置２０と通信できないとき、第２通信部６１ｂを用いて玄関装置２０と通信してもよい。また、玄関装置２０および情報端末６０ａは、互いの通信状況によって、玄関装置２０から情報端末６０ａに情報を送信する際の通信方式を第１の通信方式ｃ１とし、情報端末６０ａから玄関装置２０に情報を送信する際の通信方式を第２の通信方式ｃ２としてもよい。
【００４９】
このように、インターホンシステム１０では、玄関装置２０と情報端末６０ａとで通信する際の通信部を複数の通信部の中からそれぞれ選択することで、玄関装置２０と情報端末６０ａとの通信を安定して行うことができる。
【００５０】
［３．実施の形態の変形例］
次に、実施の形態の変形例に係るインターホンシステム１０について図５を参照しながら説明する。変形例では、玄関装置２０と情報端末６０ａとの第１の通信方式ｃ１が、有線でなく無線である例について説明する。
【００５１】
図５は、変形例に係るインターホンシステム１０が備える玄関装置２０および情報端末６０ａの機能構成を示すブロック図である。
【００５２】
第１通信部２７ａは、情報端末６０ａと無線通信である第１の通信方式ｃ１で通信し、第２通信部２７ｂは、第１の通信方式ｃ１と異なる無線通信である第２の通信方式ｃ２で情報端末６０ａと通信する。なお、第１の通信方式ｃ１と第２の通信方式ｃ２とでは、通信時に用いられる周波数帯および通信プロトコルが異なる。例えば、第１の通信方式ｃ１は、ＷｉＦｉ（登録商標）などの通信方式であり、第２の通信方式ｃ２は、９２０ＭＨｚ帯の周波数を利用した特定小電力無線通信である。
【００５３】
制御部２６は、第１通信部２７ａおよび第２通信部２７ｂのうちのいずれかを優先して用いて情報端末６０ａと通信してもよい。具体的には、第１の通信方式ｃ１の通信レートが第２の通信方式ｃ２の通信レートよりも高い場合、制御部２６は、第１通信部２７ａを優先して用いて情報端末６０ａと通信してもよい。ただし、制御部２６は、第１の通信方式ｃ１による通信がノイズなどの外乱の影響を受けている場合は、第１通信部２７ａでなく第２通信部２７ｂを用いて情報端末６０ａと通信してもよい。また、制御部２６は、２つの通信方式のうち、電波強度が強い方の通信方式を優先して用いて情報端末６０ａと通信してもよい。例えば、制御部２６は、第１の通信方式ｃ１の通信のパケットエラーレートを取得して、パケットエラーレートが基準値を上回った場合、第２の通信方式ｃ２を選択してもよい。また、制御部２６は、第１の通信方式ｃ１および第２の通信方式ｃ２の両方のパケットエラーレートを取得して、エラー率が小さいほうの通信方式を選択してもよい。また、制御部２６は、第１通信部２７ａを用いて情報端末６０ａと通信できないとき、第２通信部２７ｂを用いて情報端末６０ａと通信してもよい。
【００５４】
このように玄関装置２０では、制御部２６が、情報端末６０ａと通信する通信部を複数の通信部（第１通信部２７ａおよび第２通信部２７ｂ）の中から選択することで、情報端末６０ａとの通信を安定して行うことができる。
【００５５】
［４．効果など］
以上説明したように、本実施の形態に係る玄関装置２０は、集合施設Ｈ１に設置される玄関装置２０であって、集合施設Ｈ１の少なくとも１つの施設に設けられた情報端末６０ａと第１の通信方式ｃ１で通信する第１通信部２７ａと、第１の通信方式ｃ１と異なる第２の通信方式ｃ２で情報端末６０ａと通信する第２通信部２７ｂと、第１通信部２７ａおよび第２通信部２７ｂを制御する制御部２６とを備える。
【００５６】
例えば、従来の玄関装置のように、玄関装置と情報端末とが１つのインターホン回線でしか繋がっていない場合、有線を用いた通信方式では、他の電気配線と近接して施工された場合にクロストークによる影響があり、また、無線を用いた通信方式では、マルチパス／フェージングの影響がある。そのため従来の玄関装置では、各種形態を有する集合施設Ｈ１において、安定した通信品質を実現することが困難である。
【００５７】
それに対し本実施の形態の玄関装置２０では、制御部２６が、情報端末６０ａと通信する通信部を複数の通信部である第１通信部２７ａおよび第２通信部２７ｂの中から選択することができる。これにより、情報端末６０ａとの通信を安定して行うことができる。
【００５８】
また、第１の通信方式ｃ１は、有線による通信方式であり、第２の通信方式ｃ２は、無線による通信方式であってもよい。
【００５９】
これによれば、玄関装置２０の制御部２６が、情報端末６０ａと通信する通信方式を有線または無線の中から選択することができる。これにより、情報端末６０ａとの通信を安定して行うことができる。
【００６０】
また、第１の通信方式ｃ１は、電力線搬送通信であり、第１通信部２７ａは、集合施設Ｈ１に敷設された配電線１１０に接続されていてもよい。
【００６１】
これによれば、玄関装置２０は、電力線搬送通信を用いて情報端末６０ａとの通信を安定して行うことができる。また、集合施設Ｈ１に敷設された配電線１１０を用いるので、玄関装置２０および情報端末６０ａを集合施設Ｈ１に追加して設置する場合に、追加の配線工事が少なく簡易に設置することができる。
【００６２】
また、第２の通信方式ｃ２は、特定小電力無線通信であってもよい。
【００６３】
これによれば、玄関装置２０および情報端末６０ａを集合施設Ｈ１に追加して設置する場合に、追加の配線工事が少なく簡易に設置することができる。
【００６４】
また、制御部２６は、第１通信部２７ａおよび第２通信部２７ｂのうちのいずれかを優先して用いて情報端末６０ａと通信してもよい。
【００６５】
これによれば、制御部２６は、例えば、電波状況が良好な通信部を優先して用いて情報端末６０ａと通信することができる。これにより、情報端末６０ａとの通信を安定して行うことができる。
【００６６】
また、制御部２６は、情報端末６０ａと通信する情報に応じて第１通信部２７ａおよび第２通信部２７ｂのうちの少なくとも１つの通信部を選択し、選択した当該通信部を用いて通信してもよい。
【００６７】
これによれば、制御部２６は、情報端末６０ａと通信する情報に応じて通信部を選択することができる。これにより、情報端末６０ａとの通信を安定して行うことができる。
【００６８】
また、制御部２６は、上記情報のうち、映像に関する情報を送信または受信する場合は第１通信部２７ａを用いて情報端末６０ａと通信し、通信相手を制御するための制御コマンドを送信または受信する場合は第２通信部２７ｂを用いて情報端末６０ａと通信してもよい。
【００６９】
これによれば、制御部２６は、通信容量の大きさによって、情報端末６０ａと通信する通信部を選択することができる。これにより、情報端末６０ａとの通信を安定して行うことができる。
【００７０】
また、制御部２６は、映像に関する情報を送信する場合に、映像に関する情報の情報量を少なくした状態で情報端末６０ａと通信してもよい。
【００７１】
このように、情報端末６０ａと通信する際の情報量を少なくすることで、情報端末６０ａとの通信を安定して行うことができる。
【００７２】
また、制御部２６は、映像に関する情報の容量が通信可能な容量を超えていると判断した場合に、映像のフレームレートを下げて当該映像に関する情報を送信してもよい。
【００７３】
このように、情報端末６０ａと通信する際の映像のフレームレートを下げることで、情報端末６０ａとの通信を安定して行うことができる。
【００７４】
また、制御部２６は、第１通信部２７ａを用いて情報端末６０ａと通信できないとき、第２通信部２７ｂを用いて情報端末６０ａと通信してもよい。
【００７５】
これによれば、例えば、第１通信部２７ａを介して一時的に通信できない場合であっても第２通信部２７ｂを用いて情報端末６０ａと通信することができる。これにより、情報端末６０ａとの通信を安定して行うことができる。
【００７６】
本実施の形態に係るインターホンシステム１０は、上記玄関装置２０と、玄関装置２０と通信する情報端末６０ａとを備える。
【００７７】
このように、インターホンシステム１０が、情報端末６０ａとの通信を安定して行う玄関装置２０を備えることで、玄関装置２０と情報端末６０ａとの通信を安定して行うことができる。
【００７８】
（その他の実施の形態）
以上、実施の形態について説明したが、本発明は、上記実施の形態に限定されるものではない。各実施の形態に対して当業者が思いつく各種変形を施して得られる形態、または、本発明の趣旨を逸脱しない範囲で各実施の形態における構成要素および機能を任意に組み合わせることで実現される形態も本発明に含まれる。
【００７９】
例えば、上記実施の形態では、第２通信部２７ｂは中継器を介して情報端末６０ａと通信可能でもよいことを示したが、中継器は、インターホン子機７０ａであってもよい。例えば、インターホン子機７０ａが、玄関装置２０から無線で送信された信号を受け付け、この受け付けた信号を情報端末６０ａに有線で送信してもよい。
【符号の説明】
【００８０】
１０    インターホンシステム
２０    玄関装置
２６    制御部
２７ａ  第１通信部
２７ｂ  第２通信部
６０ａ、６０ｂ、６０ｃ  情報端末
１０１、２０１、３０１  施設
１１０  配電線
ｃ１    第１の通信方式
ｃ２    第２の通信方式
Ｈ１    集合施設
【図１】
2020150341.tif 000003
【図２】
2020150341.tif 000004
【図３】
2020150341.tif 000005
【図４】
2020150341.tif 000006
【図５】
2020150341.tif 000007